(57)【要約】【課題】コネクタ装置に接続されている状態におけるカードの取り出しを防止できるカードアダプタの提供。【解決手段】カード１が装着される装着部２ａを有すると共に、この装着部２ａを覆い、変位することによって２ａ装着部に装着されたカード１を取り出し可能にするカバー部材７を備え、このカバー部材７は、コネクタ装置１２に接続した状態で規制手段によって上述した変位が規制される構成にしてある。規制手段は、例えば上述のコネクタ装置１２から成っている。【選択図】図８
2006155211.tif 000002
【特許請求の範囲】
【請求項１】
カードが装着される装着部を有すると共に、この装着部を覆い、変位することによって上記装着部に装着された上記カードを取り出し可能にするカバー部材を備え、このカバー部材は、コネクタ装置に接続した状態で規制手段によって上記変位が規制されることを特徴とするカードアダプタ。
【請求項２】
上記請求項１記載の発明において、
上記カードが側端部に切欠き部を有すると共に、
上記カードの切欠き部に嵌入してこのカードを抜け止めする突出部と、上記カードの嵌入時に、上記カードの挿入側端部を形成する前端部を持ち上げるようにして上記突出部を上記カードの上記切欠き部に嵌入させる持ち上げ機構とを備え、
上記カバー部材を、上記持ち上げ機構に連動して変位可能にしたことを特徴とするカードアダプタ。
【請求項３】
上記請求項２記載の発明において、
上記持ち上げ機構は、上記装着部の底面に設けた突出部と、上記カードの底部とから成ることを特徴とするカードアダプタ。
【請求項４】
上記請求項３記載の発明において、
上記カードが、上記前端部の反対側に位置する排出側の端面部分を除いた左右両端部に段差部を有すると共に、このカードの上記段差部を案内する案内部を備えたことを特徴とするカードアダプタ。
【請求項５】
上記請求項４記載の発明において、
上記装着部を形成する基体が樹脂より成ると共に、この基体が、上記カードが挿入される挿入口を形成し、剛性を有する枠体を備え、この枠体に上記案内部を設けたことを特徴とするカードアダプタ。
【発明の詳細な説明】
【技術分野】
【０００１】
本発明は、各種電子機器に備えられ、カードが装着された状態でコネクタ装置に接続されるカードアダプタに関する。
【背景技術】
【０００２】
カードが装着される装着部を有し、コネクタ装置に接続されるカードアダプタとして、従来、例えば特許文献１に示されるものがある。
【特許文献１】特開２０００−４０１３１公報
【発明の開示】
【発明が解決しようとする課題】
【０００３】
上述した従来技術では、カードが装着されたカードアダプタがコネクタ装置に接続されている状態にあって、カードアダプタからカードが取り出されてしまう虞がある。このようにカードが取出されてしまうと、信号処理機能が破損する事態を招いてしまうことになる。
【０００４】
本発明は、上述した従来技術における実状からなされたもので、その目的は、コネクタ装置に接続されている状態におけるカードの取り出しを防止できるカードアダプタを提供することにある。
【課題を解決するための手段】
【０００５】
上記目的を達成するために、本発明は、カードが装着される装着部を有すると共に、この装着部を覆い、変位することによって上記装着部に装着された上記カードを取り出し可能にするカバー部材を備え、このカバー部材はコネクタ装置に接続した状態で規制手段によって上記変位が規制されることを特徴としている。このように構成した本発明は、カードを保持している状態でコネクタ装置に接続された際には、規制手段によってカバー部材の変位が規制されるので、装着部に装着されたカードを取出すことができない。
【０００６】
また、本発明は上記発明において、上記カードが側端部に切欠き部を有すると共に、上記カードの切欠き部に嵌入してこのカードを抜け止めする突出部と、上記カードの挿入時に、上記カードの挿入側端部を形成する前端部を持ち上げるようにして上記突出部を上記カードの上記切欠き部に嵌入させる持ち上げ機構とを備え、上記カバー部材を、上記持ち上げ機構に連動して変位可能にしたことを特徴としている。このように構成した本発明は、規制手段による規制が解除されて、持ち上げ機構に連動してカバー部材が変位しない限りは、カードを取出すことができない。すなわち、規制手段によってカバー部材の変位が規制されている状態では、突出部がカードの切欠き部に嵌入した状態に保持されるので、この突出部によってカードを取り出すことができない。
【０００７】
また、本発明は上記発明において、上記持ち上げ機構は、上記装着部の底面に設けた突出部と、上記カードの底部とから成ることを特徴としている。このように構成した本発明は、カードが装着される装着部の底面に突出部を設けるだけの簡単な構成で、持ち上げ機構を構成できる。また、上述の突出部をカードの抜け止め用部材として兼用できる。
【０００８】
また、本発明は上記発明において、上記カードが、上記前端部の反対側に位置する排出側の端面部分を除いた左右両端部に段差部を有すると共に、このカードの上記段差部を案内する案内部を備えたことを特徴としている。このように構成した本発明は、カードの上下、あるいは前後を逆にして挿入しようとすると、カードの装着部と案内部とが適合しなくなる。したがって、カードの誤挿入を確実に防止できる。
【０００９】
また、本発明は上記発明において、上記装着部を形成する基体が樹脂より成ると共に、この基体が、上記カードが挿入される挿入口を形成し、剛性を有する枠体を備え、この枠体に上記案内部を設けたことを特徴としている。このように構成した本発明は、装着部に装着されたカードを剛性を有する枠体を介して堅固に保持できる。
【発明の効果】
【００１０】
本発明は、カバー部材の変位を規制する規制手段を備えた構成にしたことにより、コネクタ装置に接続されている状態におけるカードの取り出しを防止できる。したがって、従来懸念されていたこのようなカードの取り出しに伴う信号処理機能の破損を防止でき、信頼性の高いカードアダプタを実現できる。
【発明を実施するための最良の形態】
【００１１】
以下，本発明に係るカードアダプタを実施するための最良の形態を図に基づいて説明する。
【００１２】
図１は本発明のカードアダプタの一実施形態、及び本実施形態に使用されるカードを示す斜視図である。図２の（ａ）図は図１に示した状態において上側部分を形成する蓋部を分解して示した斜視図、（ｂ）図は（ａ）図のＡ部拡大図、図３は図２の（ａ）図に示した状態からさらに、蓋部の下方に配置されるカバー部材と、端子部材を含むインサート成形部材とを分解して示した斜視図である。図４の（ａ）図は本実施形態にカードが挿入される前の状態を示す平面図、（ｂ）図は（ａ）図のＢ−Ｂ断面図、図５の（ａ）図は図４の（ａ）図に示す状態からカバー部材を除いて示した平面図、（ｂ）図は（ａ）図のＣ−Ｃ断面図である。
【００１３】
［使用されるカードの構成］
これらの図１〜５に示すように、後述する本発明のカードアダプタの一実施形態に使用されるカード１は、挿入側端部を形成する前端部１ａの反対側に位置する排出側の端面１ｂ部分を除いて、両側端部に段差部１ｃが形成されている。また、これらの両側端部の段差部１ｃのそれぞれに切欠き部１ｄが形成されている。底部１ｅは、略平坦面に形成され、この底部１ｅに信号の送受信に活用される複数の外部接続部が設けられている。
【００１４】
［本実施形態の基本構成］
本実施形態は、図１，２に示すように、樹脂製の基体２と、この基体２の上側部分を形成する蓋部３とを備え、これらの基体２と蓋部３とによって、上述のカード１が挿入されるハウジングが形成されている。
【００１５】
図２，３に示すように、カード１が挿入される基体２の挿入口４には、基体２と一体の樹脂より成り、剛性を有する枠体５を備えている。すなわち、この枠体５によってカード１の挿入口４が形成されている。枠体５の下方部分の両端部には、上述したカード１の段差部１ｃのそれぞれを案内する案内部６を形成してある。
【００１６】
また、基体２の挿入口４側部分には、カード１が装着される装着部２ａが形成されている。この装着部２ａの底部の両端部のそれぞれには、図５等に示すように、一対の突出部２ｂが一体に形成されている。
【００１７】
図５の（ｂ）図に示すように、これらの突出部２ｂの挿入口４側部分は、傾斜角度の緩やかなテーパ部２ｂ１に形成してあり、装置奥側部分は、傾斜角度の急な係止部２ｂ２に形成してある。
【００１８】
本実施形態は、カード１の挿入時に、カード１の前端部１ａを一旦上方へ持ち上げた後に、このカード１の底部１ｅに形成される外部接続部を後述の端子部材９に接触させる持ち上げ機構を備えており、上述した突出部２ｂと、カード１の底部１ｅとによって、この持ち上げ機構が構成されている。
【００１９】
また、図２，３等に示すように、本実施形態は、基体２の段差部２ａに装着されたカード１を覆い、上方向に変位することによって装着部２ａに装着されたカード１を取り出し可能にする金属製のカバー部材７を備えている。このカバー部材７は、例えば枠体５の両端部に設けられた軸５ａに回動可能に取り付けてある。このカバー部材７の両側端のそれぞれには、張出し片７ａを形成してある。
【００２０】
また、図３に示すように、本実施形態は、基体２の装着部２ａに隣接させてインサート成形体８を配置してある。このインサート成形体８には、グランド端子９ａ、電源端子９ｂ、及び複数の信号端子９ｃ等から成る端子部材９と、グランド端子９ａに接続され、上述したカバー部材７を、その張出し片７ａを介して下方に付勢する金属製のばね片１０と、端子部材９を構成する各端子９ａ〜９ｃのそれぞれ対応するものに接続され、本実施形態のカードアダプタが装着される後述のコネクタ装置１２の端子部材に接触可能な複数の外部接続端子１１とが含まれている。
【００２１】
上述した端子部材９のうちのグランド端子９ａと電源端子９ｂは、信号処理の安全性を考慮して、カード１の挿入時には他の信号端子９ｃよりも先にカード１の外部接続部に接触するように、また、カード１の排出時には、他の信号端子９ｃのそれぞれよりも遅れてカード１の外部接続部から離脱するように、例えば他の信号端子９ｃよりも長い寸法に設定してある。
【００２２】
また、端子部材９に含まれるグランド端子９ａ、電源端子９ｂ、及び信号端子９ｃのそれぞれの自由端、すなわちカード１の外部接続部と接触する部分は、小形状の山形に形成されるものの、カード１の前端部１ａを案内するようなガイド部を有しない構成にしてある。
【００２３】
上述した基体２の突出部２ｂを含む装着部２ａと、インサート成形体８の端子部材９とによって、本実施形態のカードアダプタに備えられるカード用コネクタ機構が構成されている。
【００２４】
また特に、本実施形態は、この本実施形態を後述のコネクタ装置１２に接続した状態で、カバー部材７の上方向の変位を規制する規制手段を備えている。この規制手段は、例えば後述のコネクタ装置１２によって構成されている。
【００２５】
また、上述した基体２の装着部２ａの底部の両端部のそれぞれに設けた突出部２ｂは、カード１が装着部２ａに装着された際に、カード１の両側端部に形成した切欠き部１ｄのそれぞれに嵌入され、カード１の抜け止め用の突出部としての機能も有する。すなわち、これらの突出部２ｂは、上述した持ち上げ機構の構成要素であると共に、カード１の抜け止め用部材を兼ねている。
【００２６】
［本実施形態へのカード挿入操作］
図６の（ａ）図は本実施形態にカードが挿入される途中の状態を示す平面図、（ｂ）図は（ａ）図のＤ−Ｄ断面図、図７は図６のＥ部拡大図、図８の（ａ）図は本実施形態の装着部に装着されたカードがロックされている状態を示す平面図、（ｂ）図は（ａ）図のＦ−Ｆ断面図である。
【００２７】
上述した図４，５に示すカード１の挿入前の状態から、挿入口４にカード１が挿入されると、カード１の両側端部に形成された段差部１ｃが、枠体５の下方部分に形成された上述の図２，３に示す案内部６に案内されて、図６に示すように、装置の奥側に移動する。これと共に、カード１の前端部１ａが、装着部２ａの底面の両端部に形成した突出部２ｂのテーパ部２ｂ１に案内されて一旦上方に持ち上げられる。これに伴って、カバー部材７が図２，３に示すばね片１０の付勢力に抗して上方に回動する。このようにカード１の前端部１ａが持ち上げられることにより、カード１の前端部１ａは、端子部材９の各端子９ａ〜９ｃの自由端に当接しない状態で装置の奥側に向って進行する。そして例えば、カード１の中央付近が突出部２ｂを通過した後には、カード１の前端部１ａが下方に回動し、その状態で装着部２ａの所定の装着位置まで押し込まれる。
【００２８】
上述のように、カード１の前端部１ａが下方に回動した後に、カード１の底部１ｅに設けた外部接続部のそれぞれが、端子部材９のうちの該当する端子９ａ〜９ｃのそれぞれに接触する。また、装着部２ａに形成した突出部２ｂのそれぞれがカード１の両側端部に形成した切欠き部１ｄの該当するものに嵌入する。この間、カバー部材７は、ばね片１０によって、その張出し片７ａが付勢されることにより、例えばその上面が蓋部３の上面に一致するまで下方に回動する。カード１が所定の装着位置に保持されると、図８の（ｂ）図の二点鎖線で示すようにコネクタ装置１２への接続が可能な状態となる。
【００２９】
したがって、このようにカード１を保持した本実施形態を、図８の（ｂ）図に示すように、コネクタ装置１２内の所定の装着位置まで押し込むと、本実施形態の外部接続端子１１のそれぞれが、コネクタ装置１２の該当する端子部材に接続し、本実施形態を介して、カード１とコネクタ装置１２との間の信号の送受信が可能となる。
【００３０】
また、図８の（ｂ）図に示すように、カード１を保持した本実施形態がコネクタ装置１２の所定の装着位置に装着された状態では、コネクタ装置１２によってカバー部材７の上方への回動が規制されることから、カード１の前端部１ａを持ち上げることはできない。したがって、このような状態において、カード１を取り出そうとしても、カード１の切欠き部１ｄの縁部が突出部２ｂの係止部２ｂ２に係止されて、カード１を取出すことはできない。すなわち、カード１は突出部２ｂによって抜け止めされた状態に保持される。
【００３１】
［本実施形態からのカードの取り出し操作］
例えば上述の図８の（ｂ）図に示すように、カード１を保持した本実施形態がコネクタ装置１２に接続されている状態から、本実施形態を抜き取ると、カバー部材７はコネクタ装置１２による規制が解除され、上方向へ回動可能な状態となる。したがって、本実施形態からカード１を引き抜くことが可能となる。この場合、カード１の引き抜き操作に伴って、突出部２ａによって一旦カード１の前端部１ａが持ち上げられ、これに伴ってカバー部材７がばね片１０の付勢力に抗して上方に回動し、これによってカード１を挿入口４から取り出すことができる。
【００３２】
［本実施形態の効果］
このように構成した本実施形態は、カード１の挿入に際し、上述のように突出部２ｂによって構成される持ち上げ機構によって、カード１の前端部１ａが一旦上方に持ち上げられるので、カード１の前端部１ａが片持ち支持された端子部材９のそれぞれの端子９ａ〜９ｃの自由端に当接することを回避できる。したがって、上述したように、端子部材９のそれぞれの端子９ａ〜９ｃはカード１の前端部１ａを案内する裾広がりのガイド部を設けることを要しない。これにより、端子部材９のそれぞれの端子９ａ〜９ｃの自由端の上下方向の寸法を小さくすることができ、端子部材９のそれぞれの端子９ａ〜９ｃの自由端を変位させるための上下方向の撓み空間を小さく設計することができる。
【００３３】
これに伴って、本実施形態は、上下方向の寸法を小さく設定でき、カード１の薄型化に対応させて全体を薄型化させることができる。
【００３４】
また、本実施形態は、カード１が装着される装着部２ａの底面の左右両端部に突出部２ｂを設けるだけの簡単な構成で、持ち上げ機構を実現でき、製作費を抑えることができる。
【００３５】
また、本実施形態は、ばね片１０を介してカバー部材７が下方に付勢されるので、装着部２ｂに装着されたカード１の上方への動きを規制できる。また、カバー部材７がばね片１０を介して端子部材９のグランド端子９ａに接続されているので、装着部２ｂに装着されたカード１の電気的保護を実現できる。
【００３６】
また特に、本実施形態は、カード１を保持している状態でコネクタ装置１２に接続された際には、コネクタ装置１２によってカバー部材７の上方への回動が規制されるので、カード１を取り出そうとしたときには、上述のようにそのカード１の取り出しが突出部２ｂによって阻止される。したがって、カード１を取り出すことができず、信号処理機能の破損を確実に防止できる。
【００３７】
また、装着部２ｂに形成した突出部２ｂが、上述の持ち上げ機構と、カード１の抜け止め用部材とを兼ねるので、部材数を節約でき、製作費を抑えることに貢献する。
【００３８】
また、カード１の両側端部に形成された段差部１ｃに適合する案内部６を有するので、カード１の上下、あるいは前後を逆にして挿入しようとすると挿入できず、これによりカード１の誤挿入を確実に防止できる。
【００３９】
また、挿入口４を剛性を有する枠体５によって形成してあるので、この枠体５を介して装着部２ａに装着されたカード１を堅固に保持でき、信頼性の高い装置とすることができる。
【００４０】
［本発明の他の実施形態］
【００４１】
上記実施形態では、端子部材８のグランド端子９ａ及び電源端子９ｂを、他の信号端子９ｃに比べて長く設定してある。しかし、本実施形態にあっては、カード１を保持した状態でコネクタ装置１２に接続された際には、カード１の取り出しが不能となるので、上述のようにカード１の取り出しによる信号処理機能の破損を生じる懸念がない。したがって、端子部材９のグランド端子９ａ及び電源端子９ｂの長さ寸法を、他の信号端子９ｃと同じ長さ寸法に構成してもよい。このようにグランド端子９ａ及び信号端子９ｂを、他の信号端子９ｃと同じ長さ寸法に設定した場合には、端子部材９を含むインサート成形体８の製作が容易となる。
【００４２】
なお、上記実施形態における規制手段は、コネクタ装置１２としたが、これに限らず、コネクタ装置１２が組み込まれたケース本体、或いは、専用に設けた規制部材等であってもよい。
【図面の簡単な説明】
【００４３】
【図１】本発明のカードアダプタの一実施形態、及び本実施形態に使用されるカードを示す斜視図である。
【図２】（ａ）図は図１に示した状態において上側部分を形成する蓋部を分解して示した斜視図、（ｂ）図は（ａ）図のＡ部拡大図である。
【図３】図２の（ａ）図に示した状態からさらに、蓋部の下方に配置されるカバー部材と、端子部材を含むインサート成形部材とを分解して示した斜視図である。
【図４】（ａ）図は本実施形態にカードが挿入される前の状態を示す平面図、（ｂ）図は（ａ）図のＢ−Ｂ断面図である。
【図５】（ａ）図は図４の（ａ）図に示す状態からカバー部材を除いて示した平面図、（ｂ）図は（ａ）図のＣ−Ｃ断面図である。
【図６】（ａ）図は本実施形態にカードが挿入される途中の状態を示す平面図、（ｂ）図は（ａ）図のＤ−Ｄ断面図である。
【図７】図６のＥ部拡大図である。
【図８】（ａ）図は本実施形態の装着部に装着されたカードがロックされている状態を示す平面図、（ｂ）図は（ａ）図のＦ−Ｆ断面図である。
【符号の説明】
【００４４】
１    カード
１ａ  前端部
１ｂ  端面
１ｃ  段差部
１ｄ  切欠き部
１ｅ  底部（持ち上げ機構）
２    基体
２ａ  装着部（コネクタ機構）
２ｂ  突出部（持ち上げ機構）
２ｂ１  テーパ部
２ｂ２  係止部
３    蓋部
４    挿入口
５    枠体
５ａ  軸
６    案内部
７    カバー部材
７ａ  張出し片
８    インサート成形部材
９    端子部材（コネクタ機構）
９ａ  グランド端子
９ｂ  電源端子
９ｃ  信号端子
１０  ばね片
１１  外部接続端子
１２  コネクタ装置（規制手段）
【図１】
2006155211.tif 000003
【図２】
2006155211.tif 000004
【図３】
2006155211.tif 000005
【図４】
2006155211.tif 000006
【図５】
2006155211.tif 000007
【図６】
2006155211.tif 000008
【図７】
2006155211.tif 000009
【図８】
2006155211.tif 000010